(57)【要約】      （修正有）【課題】使用者又はカバーが潜在的に汚染されている他の表面に接触して汚染されることを防止できる手保護カバー供給器具を提供する。【解決手段】手保護カバー供給器具１は、開放した上部を有する前面２１及び開放した前方部を有する上面２２並びにバネを備えるボックス２と、ボックスの内側に収容されてバネにより前方に付勢されるカバーの積み重なり４とを備える。各カバーは、前面２１の寸法を有する長方形の後方シート４１と、前面の開放した上部より小さい寸法を有して側方及び上方の縁のみにおいて後方シートの側方及び上方の縁に接合されている前方シート４２とを備える。使用者は、前方シートの下方の縁の下から後方シートと前方シートの間に手を導入し、手を上方向に移動させることによりカバーを引き出すことができる。【選択図】図３
0003222855.tif 000002
【実用新案登録請求の範囲】
【請求項１】
使用者が手を前方シート（４２）の下方の縁の下において上方向に移動させることによりカバーの後方シート（４１）と前方シート（４２）の間のポケットに手を導入し、ボックス（２）の上面（２２）の開放した前方部を通って手が出るまで手をさらに上方向に移動させることにより前記カバー（４）を引き出し得るように、
開放した上部を有する前面（２１）と、上方の前方部を有する上面（２２）と、ボックス（２）の背面（２３）の内面に接する少なくとも一つの水平なバネ（３）を備えている、実質的に平行六面体の収納ボックス（２）と、
前記カバー（４）がバネ（３）により前方向に付勢されるように収納ボックス（２）の内側に収容される手保護カバーの積み重なり（４）であって、各カバー（４）がボックス（２）の前面（２１）の寸法を有する実質的に長方形の後方シート（４１）と、前面（２１）の開放した上部のものより小さい寸法を有してその側方及び上方の縁のみにおいて後方シート（４１）の側方及び上方の縁に接合されている前方シート（４２）を備えている、手保護カバーの積み重なり（４）
を備えていることにより特徴付けられる、手保護カバー供給器具（１）。
【請求項２】
収納ボックス（２）の前面（２１）の開放した上部が、前記前面（２１）の寸法の少なくとも半分より小さい寸法を有する、請求項１に記載の供給器具（１）。
【請求項３】
収納ボックス（２）の上面（２２）の開放した前方部が、前記上面（２２）の寸法の少なくとも三分の二の寸法を有する、請求項１又は２に記載の供給器具（１）。
【請求項４】
収納ボックス（２）がプラスチック又は金属から作られている、請求項１乃至３のいずれかに記載の供給器具（１）。
【請求項５】
カバー（４）の前方シート（４２）の寸法が後方シート（４１）の寸法の少なくとも三分の一である、請求項１乃至４のいずれかに記載の供給器具（１）。
【請求項６】
カバー（４）が紙、プラスチック又はラテックスから作られている、請求項１乃至５のいずれかに記載の供給器具（１）。
【考案の詳細な説明】
【技術分野】
【０００１】
（本考案の目的）
本考案の目的は、使用者がいかなる追加の物体にも接触せずに各カバーを引き出すことを可能にする、手袋の形態によるハンドカバーの新規な供給器具（dispenser）である。
【背景技術】
【０００２】
（本考案の背景）
今日では、特定の物体に接触することを避ける目的を有する手保護シース（sheath）を個人が使用しなければならないいくつかの状況が存在する。この状況は、例えば医療専門家の手の上に存在する可能性がある細菌（germ）の伝達が避けられなければならない医療環境において生じる。これは、使用者が最終的に購入しない果物又は野菜にその手により触れることを防止するために、スーパーマーケット及び雑貨店においても一般的である。
【０００３】
この問題を解決するために、手袋又は手用の袋のようないくつかの手保護カバー供給器具が知られている。これらの供給器具は、使用者が最初に手袋又は袋を一つずつ引き出すことを可能にするために設計されており、続いて使用者はそれらを着用する。
【０００４】
既知の供給器具の第一の例示的な構成は、手袋又は袋の積み重なりを収容し、かつ使用者が手袋を引き出すためにその手を導入するのに十分に大きい穴を有するボックスとして形成される。手袋又は袋が引き出されると、使用者はこれを着用し、続いて必要な場合には二つ目の手袋又は袋のためにこれらのステップを反復する。文書ＵＳ２０１６０５１３３０は、この種の装置の例示的な実施形態を開示する。
【０００５】
既知の供給器具の第二の例示的な構成は、例えば微小な穿孔によって弱められた線により分離される手袋又は袋の連続的なウェブ（web）がその周りに与えられるローラーを基礎としている。使用者は最初の手袋又は袋を広げるためにローラーを引っ張り、次に前記手袋又は袋をウェブから分離するためにこれを引っ張り、最終的にこれを着用する。これらの供給器具は、現在スーパーマーケットにおいて共通に見られる。
【考案の開示】
【考案が解決しようとする課題】
【０００６】
両方のタイプの供給器具は、使用者が手袋又は袋を着用する前に複数の表面に必ず接触することにおいて欠点を有する。使用者は手袋又は袋を引き出すために供給器具自体に接触し、次に第一の手に手袋又は袋を着用するために両方の手を使用し、最後に第二の手に手袋又は袋を着用するために既に保護された手を使用する。この操作は、供給器具、手又は手袋自体に近い他の表面からの細菌伝達の機会を増加させる。
【課題を解決するための手段】
【０００７】
（考案の説明）
本考案は、使用者がそれらを着用するときにカバーを操作する必要がないが、使用者は引き出しステップ自体の間にそれらの中に手を導入することができるように設計される手保護カバー供給器具によって、上記欠点を解決する。これにより、使用者又はカバーが潜在的に汚染されている表面に接触する必要が防止される。この新規な供給器具は、吸収紙のような吸収性材料から作られるカバーを供給するためにも有用であり、これにより個人が吸収カバー以外の何にも触れる必要なく公衆トイレにおいて自己の手を乾燥させることを可能にする。
【０００８】
本考案の供給装置は、特別に設計される手保護カバーの積み重なりが収納される収納ボックスを主に備えている。今、これらの要素のそれぞれが詳細に開示される。
【０００９】
ａ）収納ボックス
収納ボックスは主に平行六面体であり、詳細には開放した上部を有する前面と開放した前方部を有する上面を備えている。本文書においてさらに詳細に開示されるように、開放した上部を有する前面は使用者が自己の手を手保護カバー内に導入することを可能にし、開放した前方部を有する上面は使用者が手の上方向への動きによってカバーを引き出すことを可能にする。装飾タイプの穴、又はボックスの組み立て及び分解を促進すること若しくは手保護カバーを補充することのような他の補助的使用のための穴の存在は排除されないが、収納ボックスの他の面は通常閉鎖されている。ボックスは、ボックスの背面の内面上に接している少なくとも一つの水平なバネをさらに備えている。手保護カバーの積み重なりをボックスの前面に向かって継続的に付勢するために、単一のバネ又は数個のバネ、例えば四つのバネがボックスの背面の角の近くに設けられ得る。従って、最も外側の位置に所在する最初の手保護カバーがボックスの前面に対して接することが確実にされる。
【００１０】
材料については、好適にはプラスチック又は金属が使用されるが、収納ボックスは原則として任意の材料から作られ得る。
【００１１】
ｂ）カバーの積み重なり
カバーの積み重なりは、それらがバネにより前方向に付勢されるように収納ボックスの内側に収容される手保護カバーの積み重なりである。カバーは、ボックスの前面の面を有する実質的に長方形の後方シートと、前面の開放した上部より小さい寸法を有する前方シートを備えており、その側方及び上方の縁においてのみ後方シートの側方及び上方のそれぞれの縁と接合されている特別な設計を有する。従って、好適には少なくとも使用者の人差し指と小指の間の指の半分と親指の一部を実質的に覆うために寸法決めされる前方シートと後方シートの間に、ポケットが形成される。
【００１２】
カバーは、紙、プラスチック及びラテックス等のような任意の適切な材料から作られ得る。材料は、供給器具の使用者に応じて選択される。
【００１３】
この構成のおかげで、使用者は前方シートの下方の縁の下から手を上方向に移動させることにより、カバーの後方シートと前方シートの間のポケットの中に手を導入し得る。一旦手が内側になると、使用者は、カバーがボックスの上面の開放した上部を通って出るまで手をさらに上方向に移動させることにより、前記カバーを引き出すことができる。従って、前記カバーを着用するための方法は収納ボックスから前記カバーを引き出す方法の統合した一部であるため、使用者は手保護カバーを着用するためにいかなる表面にも接触する必要がない。
【００１４】
寸法については、収納ボックスの寸法は現在知られているナプキン供給器具の寸法、例えば２０〜３０ｃｍの間の高さと１０〜２０ｃｍの間の幅及び奥行に近似している。約２５ｃｍ×１５ｃｍを有する前面は、例えば使用者が手を最初の手保護カバーのポケットの内側に単純な方法により導入するために十分な表面を有する。
【００１５】
他方において、収納ボックスの前面の開放した上部は、積み重なりの最初のカバーの十分に大きな部分が、使用者が前記カバーの前方シートの下のポケットの内側に自己の手を導入するために使用者にとって可視であることを可能にする寸法を有しなければならない。例えば、本考案の好適な実施形態において、収納ボックスの前面の開放した上部は、前記前面の寸法の少なくとも半分の寸法を有する。さらに、収納ボックスの上面の開放した前方部は、前記上面の寸法の少なくとも三分の二の寸法を有し得る。
【００１６】
最後に、カバーの前方シートの寸法は、後方シートの寸法の少なくとも三分の一である。従って、全体のカバーの寸法が与えられると、後方シートと前方シートの間に形成されるポケットが、使用者が少なくとも使用者の人差し指から小指の半分と親指の一部を導入するために十分深いことが確実にされる。
【考案を実施するための最良の形態】
【００１７】
（本考案の好適な実施形態）
図２及び図３は、それらにおいて構成部品が示される、本考案の供給器具（１）の二つの斜視図を示す。
【００１８】
供給器具（１）は、六つの壁又は面、詳細には下面、側面、前面（２１）、上面（２２）及び背面（２３）により形成される、実質的に平行六面体の形状を有する収納ボックス（２）により形成される。前面（２１）及び上面（２２）を除く全ての面は閉鎖されており、すなわちボックス（２）の内側を外側と連通させる開口部又は穴を欠く。ボックス（２）の内側には、いくつかの現在知られているナプキン供給器具におけるようにカバーの積み重なり（４）がボックス（２）の内側に完全にフィットするように、ボックス（２）の寸法と略等しい寸法を有する手保護カバーの積み重なり（４）が収容される。
【００１９】
ボックスの前面（２１）は、その表面の約三分の二の開放した上部を有する。開放した上部は、前記前面（２１）の縁に隣接する面に位置する狭い垂直な帯を除き、前面（２１）の上方の三分の二をほぼ完全に覆い、その目的はカバーの積み重なり（４）がボックス（２）から出ることを防止してそれらを包含することである。従って、前面（２１）の開放した上部を通じて、最初のカバー（４）の上方の約三分の二に接触可能である。上部の寸法は約１５ｃｍ×１５ｃｍであり、これはカバー（４）を引き出すための過程の間の使用者の寸法の約半分を容易に覆うために十分であり、このことは本文書においてさらに以下に詳細に開示される。他方において、上面（２２）は前記上面（２２）の表面の約三分の二をも覆う開放した前方部を有する。カバーの積み重なり（４）の一部の縁は、上面（２１）の開放した上部を通じて見られ得る。
【００２０】
図２は、角の近くに設けられて背面（２３）の内面に対して接する四つのバネ（３）をも示す。これらのバネ（３）は背面（２３）に平行である板（５）に結合され、これにより前記背面（２３）と反対の方向に前記板（５）を押す。従って、板（５）は全ての時点においてカバーの積み重なり（４）を前方に向かって付勢し、最初のカバー（４）をボックス（２）の前面（２１）の内面に対して常に接しさせる。
【００２１】
開示されるように、カバーの積み重なり（４）は、前面（２１）の開放した上部を通じて最初のカバー（４）に接触可能であるように、ボックス（２）の内側に収容される。さらに、各カバー（４）は前方シート（４２）の上方及び側方の縁において接合される後方シート（４１）と前方シート（４２）により形成される。さらにその上、カバー（４）の上部においてそれらの間にポケットが形成されてその開口部が下方向に向けられているように、前方シート（４２）の表面は後方シート（４１）の表面より顕著に下方にある。カバー（４）の開口部が前面（２１）の開放した上部を通じて接触可能である位置にあるように、前方シート（４２）の寸法はカバー（４）の全体の寸法の約三分の一である。
【００２２】
図３に示されるように、カバー（４）を引き出すために、使用者は後方シート（４１）と前方シート（４２）の間に形成されるポケットの内側に自己の手の終端部分、詳細には人差し指から小指までの自己の指の半分と自己の親指の一部を導入する必要のみがある。上方向に押すことにより、手はポケットの終端に滑り、これは後方シート（４１）と前方シート（４２）の上方の縁の間の接合線と一致する。一旦そこにあると、使用者は、それが上面（２２）内の前方の開口部の最も前方の部分を出るまで、自己の手を上方向に移動させ続け得る。使用者は既にカバー（４）を着用しており、従ってさらなる操作は必要でない。カバー（４）は、スーパーマーケットにおける生鮮商品の取り上げ又は公衆トイレにおける手の乾燥のようないくつかの課題のために使用され得る。
【図面の簡単な説明】
【００２３】
【図１】本考案の例による供給器具の斜視図を示す。
【図２】図１に示される、本考案による例示の供給器具の別の斜視図を示す。
【図３】図１に示される、本考案による供給器具を使用してハンドカバーを引き出すための過程の斜視図を示す。
【図１】
0003222855.tif 000003
【図２】
0003222855.tif 000004
【図３】
0003222855.tif 000005